(57)【要約】      （修正有）【課題】搭乗者自身がシートベルトを着用している事実を車外の取締り担当者や対向車等に視覚的に強く訴えるために、発光ベルトを簡単に既存のシートベルトに装着することができ、また装着不要であるために取り外す場合にも、自動的に巻き取って運転等の邪魔にならないようにすることが可能な自動車用シートベルトのカバーを提供する。【解決手段】自動車用シートベルトのカバーは、座席シートの一方の側にはバックル１３を、他方の側には先端にプレート１５を連結したシートベルト１４を延設し、プレート１５をバックル１３にはめ込むことによってロック状態を得るように設けられた自動車用シートベルトにおいて、バックル１３側には巻取器２３をファスナ３１を介して着脱自在に取り付け、巻取器２３に巻き取られた発光ベルト２２を引き出してシートベルト１４の適所にクリップ２５を介して着脱可能に装着可能としたことを特徴とする。【選択図】図４
0003148750.tif 000002
【実用新案登録請求の範囲】
【請求項１】
座席シートの一方の側にはバックルを、他方の側には先端にプレートを連結したシートベルトを延設し、前記プレートをバックルにはめ込むことによってロック状態を得るように設けられた自動車用シートベルトにおいて、
前記バックル側には巻取器をファスナを介して着脱自在に取り付け、該巻取器に巻き取られた発光ベルトを引き出して前記シートベルトの適所にクリップを介して着脱可能に装着可能としたことを特徴とする自動車用シートベルトのカバー。
【請求項２】
前記バックル側に巻取器を取り付けるためのファスナが、ベルクロファスナを含む面ファスナからなることを特徴とする請求項１記載の自動車用シートベルトのカバー。
【請求項３】
前記シートベルトの適所に装着するためのクリップが、前記発光ベルトを巻取器へ巻き取る際のストッパとしての役割を備えるようにしたことを特徴とする請求項１記載の自動車用シートベルトのカバー。
【考案の詳細な説明】
【技術分野】
【０００１】
この考案は、自動車のシートベルトに被着して使用する自動車用シートベルトの発光ベルトからなるカバーに関する。
【背景技術】
【０００２】
自動車のシートベルトは、交通事故に伴う人的被害を未然に防止するために着用が義務づけられている。
とはいえ一方、搭乗者がシートベルトを着用している場合でも、シートベルト自体があまり目立たないためにシートベルトが着用しているかどうかを車外からはなかなか確認することができなかった。もちろん、確認のためにいちいち停車させていては交通渋滞を招きやすく、したがって車外から搭乗者がシートベルトを着用しているかどうかを簡単に確認できるようにすることが望まれていた。
【０００３】
そのような場合のために、シートベルトを目立たさせる先行技術としては、シートベルトそのものに装飾性素材、発光性あるいは蛍光性素材を織り込んだり、発光性あるいは蛍光性塗料を塗布することが試みられているが、既存のシートベルトには装着できるようにはなっていない。
また、装飾性素材、発光性あるいは蛍光性素材を織り込んだり、発光性あるいは蛍光性塗料を塗布することはシートベルトのコストアップにつながり、シートベルトの耐久性を損ないやすいという欠点があった。
【０００４】
そのため、特開２００２−２４９０１８号公報（特許文献１参照）のように三つ折りにして、あるいは特開２００２−１３７７１２号公報（特許文献２参照）のように二つ折りにして包み込んだりする方式や、実開平１−１６２８５０号公報（特許文献３参照）のようにカバーを面ファスナで取り付ける方式が採用されてきている。
【特許文献１】特開２００２−２４９０１８号公報
【特許文献２】特開２００２−１３７７１２号公報
【特許文献３】実開平１−１６２８５０号公報
【考案の開示】
【考案が解決しようとする課題】
【０００５】
上記のような自動車用シートベルトのカバーによれば、装着時には特に運転等の邪魔になるなどの問題はないが、日中等においては装着不要であるために取り外しておくことが多い。
その場合に、その自動車用シートベルトのカバーが室内に散乱してしまって処理に困ることがあった。
【０００６】
この考案は、上記のような実情に鑑みて、搭乗者自身がシートベルトを着用している事実を車外の取締り担当者や対向車等に視覚的に強く訴えるために、発光ベルトを簡単に既存のシートベルトに装着することができ、また装着不要であるために取り外す場合にも、自動的に巻き取って運転等の邪魔にならないようにすることが可能な自動車用シートベルトのカバーの提供を目的とするものである。
【課題を解決するための手段】
【０００７】
上記の目的を達成するためにこの考案の自動車用シートベルトのカバーは、座席シートの一方の側にはバックルを、他方の側には先端にプレートを連結したシートベルトを延設し、前記プレートをバックルにはめ込むことによってロック状態を得るように設けられた自動車用シートベルトにおいて、
前記バックル側には巻取器をファスナを介して着脱自在に取り付け、該巻取器に巻き取られた発光ベルトを引き出して前記シートベルトの適所にクリップを介して着脱可能に装着可能としたことを特徴とするものである。
【０００８】
この考案の自動車用シートベルトのカバーは、前記バックル側に巻取器を取り付けるためのファスナが、ベルクロファスナを含む面ファスナからなることを特徴とする請求項１記載の自動車用シートベルトのカバー。
【０００９】
この考案の自動車用シートベルトのカバーは、前記シートベルトの適所に装着するためのクリップが、前記発光ベルトを巻取器へ巻き取る際のストッパとしての役割を備えるようにしたことをも特徴とするものである。
【考案の効果】
【００１０】
以上説明したように、この考案の自動車用シートベルトのカバーによれば、発光ベルトを既存のシートベルトに簡単に装着することができ、なんら既存のシートベルト等の構造に改変を加えることがないので、搭乗者自身がシートベルトを着用している事実を車外の取締り担当者や対向車等に視覚的に強く訴えるという目的を簡単かつ安価に達成することができる。
【００１１】
加えて、発光ベルトは不使用時には簡単に巻き取ることができて邪魔にならず、また自動車用シートベルトのカバーをシートベルトへ装着するのもワンタッチで行なえるので非常に便利である。
【考案を実施するための最良の形態】
【００１２】
次に、この考案の自動車用シートベルトのカバーの実施の形態を図面に基いて詳細に説明する。
図１はこの考案の自動車用シートベルトのカバーの１実施例を示す断面図、図２はその正面図、図３はその斜視図、図４はシートベルトに自動車用シートベルトのカバーを取り付ける場合を示す斜視図、図５はバックルにシートベルト先端のプレートを跳ねこむ状態を示す斜視図である。
【００１３】
図５に示すように、自動車用シートベルト１１は座席シート１２の一方の側にはバックル１３を、他方の側には先端にプレート１５を連結したシートベルト１４を延設し、前記プレート１５をバックル１３にはめ込むことによってロック状態を得るように設けられている。
【００１４】
図１ないし図３に示すように、この考案の自動車用シートベルトのカバー２１は、発光ベルト２２を巻芯２４に巻き取るようにした巻取器２３を備えている。この巻取器２３は、ハウジング内に巻芯２４を回転可能に軸着するとともに、この巻芯２４に取り付けたコイルバネ（図示せず）等によって発光ベルト２２を巻き取る方向に付勢するよう構成されている。
また、前記発光ベルト２２の先端には、つまみ２６を握ることによって先端を開閉自在としたクリップ２５が取り付けられている。このクリップ２５は、前記巻取器２３に設けた発光ベルト２２の引出口２７にその側面が係合するので、前記発光ベルト２２を巻取器２３へ巻き取る際のストッパとしての役割を備えており、したがって巻取器２３の引出口２７に吸い込まれることがないようになっている。
【００１５】
他方、前記バックル１３側には巻取器２３をベルクロファスナを含む面ファスナ３１を介して着脱自在に取り付け、該巻取器２３に巻き取られた発光ベルト２２を引き出して、前記シートベルト１４の適所にクリップ２５を介して取り付けることにより、着脱可能となっているのである。
この状態では、前記発光ベルト２２は前記シートベルト１４の表面に重なり合っており、搭乗者自身がシートベルト１４を着用している事実を車外の取締り担当者や対向車等に視覚的に強く訴えることができる。
【００１６】
以上のように構成した自動車用シートベルトのカバーの使用に際しては、図４に示すように、先端にバックル１３を取り付けた座席シート１２のバックル１３近傍に、面ファスナ３１を用いて前記巻取器２３を着脱自在に取り付ける。もちろん、前記巻取器２３の発光ベルト２２の引出口２７は、下側の座席シート１２の長さ方向に沿って前記発光ベルト２２を引き出せる方向を向いている。
この状態で搭乗者が車両に乗車し、上側のシートベルト１４を引き降ろして、その先端のプレート１５を前記バックル１３に差込んで固着することにより、搭乗者のシートベルト１４の装着が完了する。
【００１７】
次に、搭乗者は前記巻取器２３の引出口２７から発光ベルト２２を引き出し、発光ベルト２２の先端に取り付けたクリップ２５を開いて前記シートベルト１４の上部にはめ込み、該クリップ２５により固着することによって、発光ベルト２２をシートベルト１４表面に沿って取り付ける。
【００１８】
取外す際には、前記シートベルト１４からクリップ２５を外し、巻取器２３によって発光ベルト２２を巻き取り、その後プレート１５をバックル１３から抜き取ってシートベルト１４を解除することにより、搭乗者はドアを開けて車外に出ることができる。
その際、前記クリップ２５は前記引出口２７に引っかかる厚さ（例えばクリップの側面）を有しているので、発光ベルト２２を巻き取る際のストッパとして機能する。
【産業上の利用可能性】
【００１９】
以上説明したように、この考案の自動車用シートベルトのカバーによれば、一般車のみならず、特殊車両その他の車両のシートベルトにも適用することができることはいうまでもない。
【図面の簡単な説明】
【００２０】
【図１】この考案の自動車用シートベルトのカバーの１実施例を示す断面図である。
【図２】その正面図である。
【図３】その斜視図である。
【図４】シートベルトに自動車用シートベルトのカバーを取り付ける場合を示す斜視図である。
【図５】バックルにシートベルト先端のプレートを跳ねこむ状態を示す斜視図である。
【符号の説明】
【００２１】
１１  自動車用シートベルト
１２  座席シート
１３  バックル
１４  シートベルト
１５  プレート
２１  自動車用シートベルトのカバー
２２  発光ベルト
２３  巻取器
２４  巻芯
２５  クリップ
２６  つまみ
２７  引出口
３１  面ファスナ
【図１】
0003148750.tif 000003
【図２】
0003148750.tif 000004
【図３】
0003148750.tif 000005
【図４】
0003148750.tif 000006
【図５】
0003148750.tif 000007